(57)【要約】【課題】効率的な商品の提供を行うことが可能になること。【解決手段】商品を提供する際に用いられ、表示する模様が可変な容器ごとに、各容器を一意に識別するための情報である容器識別情報と、現に当該商品に付与されている現価格と、現に当該商品が店舗内を周回した周回数とを対応付けた商品情報を保持し、商品に付与されうる価格ごとに、容器にて表示される模様である表示模様を対応付けた表示模様情報を保持し、商品が容器を用いて提供された後に、当該商品が店舗内を周回して所定の位置を通過するごとに、容器から容器識別情報を検知して商品情報における周回数を更新し、商品情報における周回数が更新され、更新された周回数が所定の周回数として設定した閾値周回数となった場合に、当該商品情報に対応する現価格を更新し、現価格が更新された場合に、表示模様情報を参照して、更新された価格に対応する表示模様を表示するよう容器に指示する。【選択図】        図１
2008198024.tif 000002
【特許請求の範囲】
【請求項１】
店舗内を周回して提供される商品の情報を管理する商品情報管理方法をコンピュータに実行させる商品情報管理プログラムであって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手順と、
前記商品に付与されうる価格ごとに、前記容器にて表示される模様である表示模様を対応付けた表示模様情報を保持する表示模様情報保持手順と、
前記商品が前記容器を用いて提供された後に、当該商品が店舗内を周回して所定の位置を通過するごとに、前記容器から前記容器識別情報を検知し、前記商品情報保持手順が保持する前記周回数を更新する周回数更新手順と、
前記周回数更新手順によって前記商品情報における前記周回数が更新され、更新された周回数が所定の周回数として設定した閾値周回数となった場合に、当該商品情報に対応する前記現価格を更新する価格更新手順と、
前記価格更新手順によって前記現価格が更新された場合に、前記表示模様情報保持手順が保持する前記表示模様情報を参照して、更新された価格に対応する前記表示模様を表示するよう前記容器に指示する表示指示手順と、
をコンピュータに実行させることを特徴とする商品情報管理プログラム。
【請求項２】
前記商品情報は、現に前記容器に搭載されている商品の商品識別情報を含み、
前記商品識別情報ごとに前記閾値周回数を設定して保持する商品別閾値周回数保持手順をさらにコンピュータに実行させ、
前記価格更新手順は、前記商品情報における前記周回数が更新され、更新された周回数が、前記商品別閾値周回数保持手順が保持する当該商品情報に対応する商品識別情報の前記閾値周回数となった場合に、当該商品情報に対応する前記現価格を更新することを特徴とする請求項１に記載の商品情報管理プログラム。
【請求項３】
店舗内を周回して提供される商品の情報を管理する商品情報管理装置であって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手段と、
前記商品に付与されうる価格ごとに、前記容器にて表示される模様である表示模様を対応付けた表示模様情報を保持する表示模様情報保持手段と、
前記商品が前記容器を用いて提供された後に、当該商品が店舗内を周回して所定の位置を通過するごとに、前記容器から前記容器識別情報を検知し、前記商品情報保持手段が保持する前記周回数を更新する周回数更新手段と、
前記周回数更新手段によって前記商品情報における前記周回数が更新され、更新された周回数が所定の周回数として設定した閾値周回数となった場合に、当該商品情報に対応する前記現価格を更新する価格更新手段と、
前記価格更新手段によって前記現価格が更新された場合に、前記表示模様情報保持手段が保持する前記表示模様情報を参照して、更新された価格に対応する前記表示模様を表示するよう前記容器に指示する表示指示手段と、
を備えたことを特徴とする商品情報管理装置。
【請求項４】
店舗内を周回して提供される商品の情報を管理する商品情報管理方法であって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持工程と、
前記商品に付与されうる価格ごとに、前記容器にて表示される模様である表示模様を対応付けた表示模様情報を保持する表示模様情報保持工程と、
前記商品が前記容器を用いて提供された後に、当該商品が店舗内を周回して所定の位置を通過するごとに、前記容器から前記容器識別情報を検知し、前記商品情報保持工程が保持する前記周回数を更新する周回数更新工程と、
前記周回数更新工程によって前記商品情報における前記周回数が更新され、更新された周回数が所定の周回数として設定した閾値周回数となった場合に、当該商品情報に対応する前記現価格を更新する価格更新工程と、
前記価格更新工程によって前記現価格が更新された場合に、前記表示模様情報保持工程が保持する前記表示模様情報を参照して、更新された価格に対応する前記表示模様を表示するよう前記容器に指示する表示指示工程と、
を含んだことを特徴とする商品情報管理方法。
【発明の詳細な説明】
【技術分野】
【０００１】
この発明は、商品情報管理プログラム、商品情報管理装置および商品情報管理方法に関する。
【背景技術】
【０００２】
従来より、回転寿司店においては、商品ごとにランク分けした価格を設定し、ランク分けした価格ごとに異なる模様の皿を用意し、商品それぞれを設定価格に対応する模様の皿に乗せて、店舗内の回転レーンを周回させている。
【０００３】
これにより、回転寿司店の顧客は、商品ごとの値段を直感的に判断して、商品を選択することができ、また、回転寿司店の店員は、顧客ごとの会計時において、皿の模様から商品ごとの価格を視覚的に容易に判定して合計金額を算出することができる。
【０００４】
また、特許文献１では、商品を載せた鮨皿を、鮨皿情報認識装置に設置して、店舗内の回転レーン上で周回させる際に、鮨皿情報認識装置に当該鮨皿の情報を読み込ませて、例えば、当該鮨皿に載せられた商品の情報として商品名や価格など（例えば、「いわし、１００円」など）の顧客にとって当該商品を選択するための具体的な情報を、鮨皿情報認識装置に表示して提供するシステムを開示している。
【０００５】
【特許文献１】特開２００３−１６５３７号公報
【発明の開示】
【発明が解決しようとする課題】
【０００６】
ところで、上記した従来の回転寿司店では、商品が回転レーンの上を回り続け周回数を重ねることにより、顧客が選ぶ確率が低くなってしまい、非効率的な商品の提供しかできないという問題点があった。すなわち、実際には商品価値（例えば、賞味期限など）としては問題ないにも係らず、顧客および店員の双方から商品価値が低下したと判断されてしまい、適切な価格値下げを行えば顧客が選択する可能性があるにも係らず、最終的には、店員によって破棄されてしまうので、非効率的な商品の提供しかできないという問題点があった。
【０００７】
また、上記した特許文献１では、商品を載せた鮨皿を鮨皿情報認識装置に置いてからの経過時間に基づいて価格の値下げを行い、その値下げした価格を、鮨皿情報認識装置に表示することが可能であるが、値下げした価格情報（例えば、「いわし、５０円に値下げ」など）を周知することは、顧客が他人の顧客からの視線を気にすることで、値下げされた商品を選択することを躊躇してしまうなど、逆に、顧客が選ぶ確率が低くなってしまい、非効率的な商品の提供しかできないという問題点があった。
【０００８】
なお、ここでは、回転寿司店において、非効率的な商品の提供しかできないという問題点があったことを述べたが、寿司に限らず、商品が周回して提供される店舗であれば、同様の問題点があった。
【０００９】
そこで、この発明は、上述した従来技術の課題を解決するためになされたものであり、効率的な商品の提供を行うことが可能になる商品情報管理プログラム、商品情報管理装置および商品情報管理方法を提供することを目的とする。
【課題を解決するための手段】
【００１０】
上述した課題を解決し、目的を達成するため、請求項１に係る発明は、店舗内を周回して提供される商品の情報を管理する商品情報管理方法をコンピュータに実行させる商品情報管理プログラムであって、前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手順と、前記商品に付与されうる価格ごとに、前記容器にて表示される模様である表示模様を対応付けた表示模様情報を保持する表示模様情報保持手順と、前記商品が前記容器を用いて提供された後に、当該商品が店舗内を周回して所定の位置を通過するごとに、前記容器から前記容器識別情報を検知し、前記商品情報保持手順が保持する前記周回数を更新する周回数更新手順と、前記周回数更新手順によって前記商品情報における前記周回数が更新され、更新された周回数が所定の周回数として設定した閾値周回数となった場合に、当該商品情報に対応する前記現価格を更新する価格更新手順と、前記価格更新手順によって前記現価格が更新された場合に、前記表示模様情報保持手順が保持する前記表示模様情報を参照して、更新された価格に対応する前記表示模様を表示するよう前記容器に指示する表示指示手順と、をコンピュータに実行させることを特徴とする。
【００１１】
また、請求項２に係る発明は、上記の発明において、前記商品情報は、現に前記容器に搭載されている商品の商品識別情報を含み、前記商品識別情報ごとに前記閾値周回数を設定して保持する商品別閾値周回数保持手順をさらにコンピュータに実行させ、前記価格更新手順は、前記商品情報における前記周回数が更新され、更新された周回数が、前記商品別閾値周回数保持手順が保持する当該商品情報に対応する商品識別情報の前記閾値周回数となった場合に、当該商品情報に対応する前記現価格を更新することを特徴とする。
【００１２】
また、請求項３に係る発明は、店舗内を周回して提供される商品の情報を管理する商品情報管理装置であって、前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手段と、前記商品に付与されうる価格ごとに、前記容器にて表示される模様である表示模様を対応付けた表示模様情報を保持する表示模様情報保持手段と、前記商品が前記容器を用いて提供された後に、当該商品が店舗内を周回して所定の位置を通過するごとに、前記容器から前記容器識別情報を検知し、前記商品情報保持手段が保持する前記周回数を更新する周回数更新手段と、前記周回数更新手段によって前記商品情報における前記周回数が更新され、更新された周回数が所定の周回数として設定した閾値周回数となった場合に、当該商品情報に対応する前記現価格を更新する価格更新手段と、前記価格更新手段によって前記現価格が更新された場合に、前記表示模様情報保持手段が保持する前記表示模様情報を参照して、更新された価格に対応する前記表示模様を表示するよう前記容器に指示する表示指示手段と、を備えたことを特徴とする。
【００１３】
また、請求項４に係る発明は、店舗内を周回して提供される商品の情報を管理する商品情報管理方法であって、前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持工程と、前記商品に付与されうる価格ごとに、前記容器にて表示される模様である表示模様を対応付けた表示模様情報を保持する表示模様情報保持工程と、前記商品が前記容器を用いて提供された後に、当該商品が店舗内を周回して所定の位置を通過するごとに、前記容器から前記容器識別情報を検知し、前記商品情報保持工程が保持する前記周回数を更新する周回数更新工程と、前記周回数更新工程によって前記商品情報における前記周回数が更新され、更新された周回数が所定の周回数として設定した閾値周回数となった場合に、当該商品情報に対応する前記現価格を更新する価格更新工程と、前記価格更新工程によって前記現価格が更新された場合に、前記表示模様情報保持工程が保持する前記表示模様情報を参照して、更新された価格に対応する前記表示模様を表示するよう前記容器に指示する表示指示工程と、を含んだことを特徴とする。
【発明の効果】
【００１４】
請求項１、３または４の発明によれば、商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持し、商品に付与されうる価格ごとに、容器にて表示される模様である表示模様を対応付けた表示模様情報を保持し、商品が容器を用いて提供された後に、当該商品が店舗内を周回して所定の位置を通過するごとに、容器から容器識別情報を検知して商品情報の周回数を更新し、商品情報における周回数が更新され、更新された周回数が所定の周回数として設定した閾値周回数となった場合に、当該商品情報に対応する現価格を更新し、現価格が更新された場合に、表示模様情報を参照して、更新された価格に対応する表示模様を表示するよう容器に指示するので、顧客は、商品が提供される容器の模様を確認することで、更新されて値下げされた価格を判断して、例えば、他の顧客の視線を気にすることなく、当該商品を選択することができ、効率的な商品の提供を行うことが可能になる。また、模様を見ることで、直感的に値段のレベルを把握することができるという効をも奏する。
【００１５】
また、請求項２の発明によれば、商品情報は、現に容器に搭載されている商品の商品識別情報を含み、商品識別情報ごとに閾値周回数を設定して保持し、商品情報における周回数が更新され、更新された周回数が、当該商品情報に対応する商品識別情報の閾値周回数となった場合に、当該商品情報に対応する現価格を更新するので、回転寿司などの店舗側は、商品ごとに異なる鮮度の低下傾向に応じた閾値周回数を設定した上で、商品の価格を更新して値下げすることができ、効率的な商品の提供を行うことが可能になる。
【発明を実施するための最良の形態】
【００１６】
以下に添付図面を参照して、この発明に係る商品情報管理プログラム、商品情報管理装置および商品情報管理方法の実施例を詳細に説明する。なお、以下では、この発明に係る商品情報管理プログラムを含んで構成される商品情報管理装置を回転寿司の店舗に設置した場合を実施例として説明する。また、以下では、実施例１における商品情報管理装置の概要および特徴、実施例１における商品情報管理装置の構成および処理の手順、実施例１の効果を順に説明し、次に実施例１と同様に、実施例２に係る商品情報管理装置について説明し、最後に、他の実施例について説明する。
【００１７】
［用語の説明］
まず最初に、以下の実施例で用いる主要な用語を説明する。以下の実施例で用いる「商品」とは、回転寿司店舗の厨房で作製され顧客に提供されるものであり、例えば、かっぱ巻きやネギトロ巻きといった巻物や、マグロ、中トロ、大トロといった握り寿司といったものが挙げられる。また、「容器」とは、回転寿司の店舗内を周回して提供される際に、商品を搭載するために用いられるものであり、例えば、皿などが挙げられる。
【００１８】
また、「電子ペーパー」とは、特殊なインクを使用した紙状の薄型ディスプレイであり、与えられたデータに基づいて、文字や模様などの任意の形状を表示するものである。また、「ＩＣタグ」とは、識別ＩＤなどを記録し、電波を介して、後述する商品情報管理装置と情報を送受信することができる微小な無線ＩＣチップであり、その形状は、ラベル型、カード型、コイン型、スティック型など、様々である。
【００１９】
また、「電子ペーパー付ＩＣタグ」とは、「ＩＣタグ」が受信したデータに基づいて、「電子ペーパー」が当該データに対応する形状（例えば、模様など）を表示するものであり、「電子ペーパー付ＩＣタグを備える容器」とは、表示する模様を変更して表示することができる「電子ペーパー付ＩＣタグ」を備える「容器」のことであり、特許請求の範囲に記載の「表示する模様が可変な容器」に対応する。
【実施例１】
【００２０】
［実施例１における商品情報管理装置の概要および特徴］
まず最初に、図１を用いて、実施例１における商品情報管理装置の主たる特徴を具体的に説明する。図１は、実施例１における商品情報管理装置の概要および特徴を説明するための図である。
【００２１】
実施例１における商品情報管理装置は、回転寿司の店舗内を周回して提供される商品の情報を管理することを概要とする。すなわち、「容器」に搭載された「商品」は、回転寿司の店舗内に設置された回転レーンに置かれることによって店舗内を周回し、顧客に提供され、顧客は、「商品」を選択して、当該「商品」を搭載した「容器」を自身が割り当てられた飲食カウンターに移動する。
【００２２】
ここで、本発明は、効率的な商品の提供を行うことが可能になることに主たる特徴がある。この主たる特徴について簡単に説明すると、実施例１における商品情報管理装置は、「電子ペーパー付ＩＣタグを備える容器」ごとに、各容器を一意に識別するための情報である容器ＩＤと、現に当該容器に搭載されている商品の商品名と、現に当該商品に付与されている現価格である商品価格と、現に当該商品が店舗内を周回した周回数とを対応付けた商品情報を保持する。ここで、「容器ＩＤ」は、特許請求の範囲に記載の「容器識別情報」に対応する。また、「商品名」は、特許請求の範囲に記載の「商品識別情報」に対応し、商品名の代わりに商品に一意に振られた商品ＩＤ等の識別子を格納しても良い。
【００２３】
すなわち、実施例１における商品情報管理装置は、図１の（Ａ）に示すように、「電子ペーパー付ＩＣタグを備える容器」ごとに、例えば、「容器ＩＤ：００１」と、「商品名：かっぱ巻き」と「商品価格：１００円」と、「周回数：０」とを対応付けた商品情報を保持する。ここで、図１の（Ａ）に示す商品情報は、商品が提供される直前の商品情報であり、「周回数」はすべて「０」となっている。なお、それぞれの「容器」が備える「ＩＣタグ」は、「容器ＩＤ」を記憶しており、例えば、「容器ＩＤ：００１」の「容器」が備える「ＩＣタグ」は、「容器ＩＤ」として「００１」を記憶している。
【００２４】
また、実施例１における商品情報管理装置は、商品に付与されうる価格ごとに、「電子ペーパー付ＩＣタグを備える容器」にて表示される模様である表示模様を対応付けた表示模様情報を保持する。すなわち、実施例１における商品情報管理装置は、商品価格ごとに異なる模様のパターンである表示模様を設定した表示模様情報を保持しており、例えば、図１の（Ａ）に示すように、「商品価格：４００円」には、一面黒色の表示模様が設定されている。
【００２５】
ここで、図１の（Ａ）に示すように、商品情報に基づいて、「容器ＩＤ：００１」の「電子ペーパー付ＩＣタグを備える容器」は、「商品名：かっぱ巻き、商品価格：１００円」の商品を搭載するとともに、表示模様情報に基づいて、「商品価格：１００円」に対応する表示模様を電子ペーパーに表示する。さらに、「容器ＩＤ：００１」の「電子ペーパー付ＩＣタグを備える容器」は、回転レーンに置かれることによって店舗内（厨房と客席と）を周回し、顧客に提供される。なお、顧客は、「商品」を選択する際に、当該「商品」を搭載した「電子ペーパー付ＩＣタグを備える容器」を、自身に割り当てられた飲食カウンターの飲食スペースに移動する。
【００２６】
そして、実施例１における商品情報管理装置は、商品が「電子ペーパー付ＩＣタグを備える容器」を用いて提供された後に、当該商品が店舗内を周回して所定の位置としての「検知位置」を通過するごとに、「電子ペーパー付ＩＣタグを備える容器」から「容器ＩＤ」を検知し、商品情報の周回数を更新する。すなわち、実施例１における商品情報管理装置は、回転レーンに置かれた商品が、顧客に選択されることなく、店舗内の厨房側に設定した「検知位置」を通過すると、「ＩＣタグ」から発信される「容器ＩＤ」を検知し、商品情報において、当該「容器ＩＤ」に対応する「周回数」を更新する。
【００２７】
例えば、図１の（Ｂ）に示すように、「商品名：かっぱ巻き」を搭載した「電子ペーパー付ＩＣタグを備える容器」から「容器ＩＤ：００１」を検知すると、商品情報の「容器ＩＤ：００１」に対応する「周回数」を「０」から「１」に更新する。
【００２８】
そして、実施例１における商品情報管理装置は、商品情報における周回数が更新され、更新された周回数が所定の周回数として設定した閾値周回数となった場合に、当該商品情報に対応する現価格である商品価格を更新する。例えば、図１の（Ｃ）に示すように、「商品名：かっぱ巻き」を搭載した「電子ペーパー付ＩＣタグを備える容器」から「容器ＩＤ：００１」を検知して、商品情報の「容器ＩＤ：００１」に対応する「周回数」が、予め回転寿司店において設定された閾値周回数「６」となったので、「容器ＩＤ：００１」に対応する商品情報の現価格である商品価格「１００円」を、半額の「５０円」に値下げして更新する。ここで、図１の（Ｃ）に示すように、「商品名：中トロ」を搭載した「容器ＩＤ：００３」の「電子ペーパー付ＩＣタグを備える容器」は、最初に周回した際に顧客から選択されたために、商品情報の「周回数」は「０」のままである。
【００２９】
なお、「閾値周回数」は、回転寿司店において、任意に設定されるものであり、また、「更新される商品価格」も、回転寿司店において、商品ごとに任意に設定されるものである。
【００３０】
そして、実施例１における商品情報管理装置は、現価格が更新された場合に、表示模様情報を参照して、更新された価格に対応する表示模様を表示するよう「電子ペーパー付ＩＣタグを備える容器」に指示する。例えば、図１の（Ｄ）に示すように、実施例１における商品情報管理装置は、「商品名：かっぱ巻き」の商品価格が、「１００円」から「５０円」に更新されたので、表示模様情報を参照して、「商品価格：５０円」に対応する表示模様を表示するよう「電子ペーパー付ＩＣタグを備える容器」に指示し、「容器ＩＤ：００１」の容器に備えられる「ＩＣタグ」は、「商品価格：５０円」に対応する表示模様を受信して、当該表示模様を「電子ペーパー」に変更して表示させる。
【００３１】
このようなことから、実施例１における商品情報管理装置を設置することにより、顧客は、「電子ペーパー付ＩＣタグを備える容器」の模様を確認することで、更新されて値下げされた価格を判断して、例えば、他の顧客の視線を気にすることなく、当該商品を選択することができ、上記した主たる特徴の通り、効率的な商品の提供を行うことが可能になる。
【００３２】
［実施例１における商品情報管理装置の構成］
次に、図２〜６を用いて、実施例１における商品情報管理装置を説明する。図２は、実施例１における商品情報管理装置の構成を示すブロック図であり、図３は、実施例１における商品情報記憶部を説明するための図であり、図４は、表示模様情報記憶部を説明するための図であり、図５は、実施例１における閾値周回数記憶部を説明するための図であり、図６は、更新価格記憶部を説明するための図である。
【００３３】
図２に示すように、実施例１における商品情報管理装置１０は、入力部１１と、出力部１２と、通信制御部１３と、入出力制御Ｉ／Ｆ部１４と、記憶部１５と、処理部１６ととから構成される。
【００３４】
入力部１１は、各種の情報を入力し、キーボードやマウスなどを備えて構成され、特に本発明に密接に関連するものとしては、「閾値周回数」や「更新される商品価格」などを、例えば、キーボードから受け付けて入力する。
【００３５】
出力部１２は、各種の情報を出力し、モニタやスピーカを備えて構成され、特に本発明に密接に関連するものとしては、後述する価格更新部１６ｂによる処理結果を、例えば、モニタの画面に表示したりする。
【００３６】
通信制御部１３は、他の装置との通信を制御し、特に本発明に密接に関連するものとしては、「ＩＣタグ」との情報交換を、例えば、電波通信などの無線通信によって制御したりする。
【００３７】
入出力制御Ｉ／Ｆ部１４は、入力部１１、出力部１２および通信制御部１３と、記憶部１５および処理部１６との間におけるデータ転送を制御する。
【００３８】
記憶部１５は、処理部１６による各種処理に用いるデータと、処理部１６による各種処理結果を記憶し、特に本発明に密接に関連するものとしては、図２に示すように、商品情報記憶部１５ａと、表示模様情報記憶部１５ｂと、閾値周回数記憶部１５ｃと、更新価格記憶部１５ｄとを備える。ここで、商品情報記憶部１５ａは、特許請求の範囲に記載の「商品情報保持手順」に対応し、表示模様情報記憶部１５ｂは、同じく「表示模様情報保持手順」に対応する。
【００３９】
商品情報記憶部１５ａは、「電子ペーパー付ＩＣタグを備える容器」ごとに、各容器を一意に識別するための情報である容器ＩＤと、現に当該容器に搭載されている商品の商品名と、現に当該商品に付与されている現価格である商品価格と、現に当該商品が店舗内を周回した周回数とを対応付けた商品情報を記憶する。すなわち、図３の（Ａ）に示すように、「電子ペーパー付ＩＣタグを備える容器」ごとに、例えば、「容器ＩＤ：００１」と、「商品名：かっぱ巻き」と「商品価格：１００円」と、「周回数：０」とを対応付けた商品情報を記憶する。ここで、図３の（Ａ）に示す商品情報は、商品が提供される直前の商品情報であり、「周回数」はすべて「０」となっている。
【００４０】
また、商品情報記憶部１５ａは、後述する周回数更新部１６ａにより更新された「周回数」を記憶し、後述する価格更新部１６ｂにより更新された「商品価格」を記憶する。
【００４１】
表示模様情報記憶部１５ｂは、商品に付与されうる商品価格ごとに、「電子ペーパー付ＩＣタグを備える容器」にて表示される模様である表示模様を対応付けた表示模様情報を保持する。例えば、図４に示すように、表示模様情報記憶部１５ｂは、「商品価格：４００円」に対応する表示模様として、一面黒色の表示模様を記憶する。なお、本実施例では、表示模様情報記憶部１５ｂが、商品価格ごとの表示模様のデータとして、例えば、ＪＰＥＧ（Ｊｏｉｎｔ  Ｐｈｏｔｏｇｒａｐｈｉｃ  Ｅｘｐｅｒｔｓ  Ｇｒｏｕｐ）などの形式で保存された画像データを記憶している場合について説明するが、本発明はこれに限定されるものではなく、表示模様情報記憶部１５ｂが、商品価格ごとの画像データのファイル名を記憶し、ファイル名と画像データを対応付けたデータベースを別途備える場合であってもよい。
【００４２】
閾値周回数記憶部１５ｃは、後述する価格更新部１６ｂによって参照される閾値周回数を記憶する。すなわち、閾値周回数記憶部１５ｃは、入力部１１から入力された閾値周回数を記憶し、例えば、図５に示すように、「閾値周回数」として「６」を記憶する。
【００４３】
更新価格記憶部１５ｄは、後述する価格更新部１６ｂによって更新される現価格の更新後の価格を記憶する。すなわち、現価格である「商品価格」と、更新後の価格である「更新価格」とを対応付けて記憶し、例えば、図６に示すように、「商品価格：１００円」と「更新価格：５０円」とを対応付けて記憶する。
【００４４】
処理部１６は、入出力制御Ｉ／Ｆ部１４から転送されたデータに基づき各種処理を実行し、特に本発明に密接に関連するものとしては、図２に示すように、周回数更新部１６ａと、価格更新部１６ｂと、表示指示部１６ｃとを備える。ここで、周回数更新部１６ａは、特許請求の範囲に記載の「周回数更新手順」に対応し、価格更新部１６ｂは、同じく「価格更新手順」に対応し、表示指示部１６ｃは、同じく「表示指示手順」に対応する。
【００４５】
周回数更新部１６ａは、商品が「電子ペーパー付ＩＣタグを備える容器」を用いて提供された後に、当該商品が店舗内を周回して所定の位置としての「検知位置」を通過するごとに、「電子ペーパー付ＩＣタグを備える容器」から「容器ＩＤ」を検知し、商品情報記憶部１５ａが記憶する商品情報の周回数を更新して格納する。すなわち、周回数更新部１６ａは、回転レーンに置かれた商品が、顧客に選択されることなく、店舗内の厨房側に設定した「検知位置」を通過すると、「ＩＣタグ」から発信される「容器ＩＤ」を検知し、商品情報において、当該「容器ＩＤ」に対応する「周回数」を更新する。
【００４６】
例えば、図１の（Ｂ）に示すように、「商品名：かっぱ巻き」を搭載した「電子ペーパー付ＩＣタグを備える容器」から「容器ＩＤ：００１」を検知すると、図３の（Ａ）に示す商品情報における「容器ＩＤ：００１」の「周回数：０」を、図３の（Ｂ）に示すように、「周回数：１」に更新し、商品情報記憶部１５ａに格納する。
【００４７】
価格更新部１６ｂは、周回数更新部１６ａによって商品情報記憶部１５ａが記憶する商品情報における周回数が更新され、更新された周回数が、閾値周回数記憶部１５ｃが記憶する閾値周回数となった場合に、更新価格記憶部１５ｄを参照して、当該商品情報に対応する現価格である商品価格を「更新価格」に更新し、当該「更新価格」を商品情報記憶部１５ａが記憶する商品情報の商品価格として更新して格納する。
【００４８】
例えば、価格更新部１６ｂは、周回数更新部１６ａが、「商品名：かっぱ巻き」を搭載した「電子ペーパー付ＩＣタグを備える容器」から「容器ＩＤ：００１」を検知し（図１の（Ｃ）参照）、商品情報の「容器ＩＤ：００１」に対応する「周回数：５」を、「周回数：６」に更新した場合（図３の（Ｃ）参照）、図５に示す「閾値周回数：６」と一致するので、図６に示す更新価格記憶部１５ｄを参照して、「容器ＩＤ：００１」に対応する商品情報の現価格である商品価格「１００円」を、「更新価格：５０円」に値下げして更新する。
【００４９】
そして、価格更新部１６ｂは、図３の（Ｄ）に示すように、「更新価格：５０円」を商品価格として商品情報記憶部１５ａに格納する。
【００５０】
表示指示部１６ｃは、現価格が更新された場合に、表示模様情報記憶部１５ｂが記憶する表示模様情報を参照して、「更新価格」に対応する表示模様を表示するよう「電子ペーパー付ＩＣタグを備える容器」に指示する。例えば、表示指示部１６ｃは、図３の（Ｄ）に示すように、「商品名：かっぱ巻き」の商品価格が、「１００円」から「５０円」に更新されたので、図４に示す表示模様情報を参照して、「商品価格：５０円」に対応する表示模様に対応する画像データを送信して、当該画像データに基づいた表示模様を表示するよう「電子ペーパー付ＩＣタグを備える容器」に指示する。これにより、図１の（Ｄ）に示すように、「容器ＩＤ：００１」の容器に備えられる「ＩＣタグ」は、「商品価格：５０円」に対応する表示模様の画像データを受信して、当該表示模様を「電子ペーパー」に変更して表示させる。
【００５１】
［実施例１における商品情報管理装置による処理の手順］
次に、図７〜９を用いて、実施例１における商品情報管理装置１０による処理を説明する。図７は、実施例１における商品情報管理装置の周回数更新処理を説明するための図であり、図８は、実施例１における商品情報管理装置の価格更新処理を説明するための図であり、図９は、実施例１における商品情報管理装置の表示指示処理を説明するための図である。
【００５２】
［実施例１における商品情報管理装置の周回数更新処理の手順］
まず、実施例１における商品情報管理装置１０は、容器ＩＤを検知すると（ステップＳ７０１肯定）、周回数更新部１６ａは、当該容器ＩＤに対応する商品情報の周回数を更新して（ステップＳ７０２）、処理を終了する。
【００５３】
すなわち、周回数更新部１６ａは、商品が「電子ペーパー付ＩＣタグを備える容器」を用いて提供された後に、回転レーンに置かれた商品が、顧客に選択されることなく、店舗内の厨房側に設定した「検知位置」を通過し、例えば、図１の（Ｂ）に示すように、「商品名：かっぱ巻き」を搭載した「電子ペーパー付ＩＣタグを備える容器」から「容器ＩＤ：００１」を検知すると、図３の（Ａ）に示す商品情報における「容器ＩＤ：００１」の「周回数：０」を、図３の（Ｂ）に示すように、「周回数：１」に更新し、商品情報記憶部１５ａに格納する。
【００５４】
［実施例１における商品情報管理装置の価格更新処理の手順］
まず、実施例１における商品情報管理装置１０は、商品情報における周回数が更新され、更新された周回数が閾値周回数となると（ステップＳ８０１肯定）、価格更新部１６ｂは、当該商品情報に対応する現価格を更新して（ステップＳ８０２）、処理を終了する。
【００５５】
例えば、価格更新部１６ｂは、周回数更新部１６ａが、「商品名：かっぱ巻き」を搭載した「電子ペーパー付ＩＣタグを備える容器」から「容器ＩＤ：００１」を検知し（図１の（Ｃ）参照）、図３の（Ｃ）に示すように、商品情報の「容器ＩＤ：００１」に対応する「周回数：５」を、「周回数：６」に更新した場合、図５に示す「閾値周回数：６」と一致するので、図６に示す更新価格記憶部１５ｄを参照して、「容器ＩＤ：００１」に対応する商品情報の現価格である商品価格「１００円」を、「更新価格：５０円」に値下げして更新する。
【００５６】
［実施例１における商品情報管理装置の表示指示処理の手順］
まず、実施例１における商品情報管理装置１０は、現価格である商品価格が更新されると（ステップＳ９０１肯定）、表示指示部１６ｃは、表示模様情報を参照して、更新された価格に対応する表示模様を表示するよう容器に指示して（ステップＳ９０２）、処理を終了する。
【００５７】
例えば、表示指示部１６ｃは、図３の（Ｄ）に示すように、「商品名：かっぱ巻き」の商品価格が、「１００円」から「５０円」に更新されたので、図４に示す表示模様情報を参照して、「商品価格：５０円」に対応する表示模様に対応する画像データを送信して、当該画像データに基づいた表示模様を表示するよう「電子ペーパー付ＩＣタグを備える容器」に指示する。これにより、図１の（Ｄ）に示すように、「容器ＩＤ：００１」の容器に備えられる「ＩＣタグ」は、「商品価格：５０円」に対応する表示模様の画像データを受信して、当該表示模様を「電子ペーパー」に変更して表示させる。
【００５８】
［実施例１の効果］
上記したように、実施例１によれば、商品を提供する際に用いられる「電子ペーパー付ＩＣタグを備える容器」ごとに、各容器を一意に識別するための情報である容器ＩＤと、現に当該容器に搭載されている商品の商品名と、現に当該商品に付与されている現価格である商品価格と、現に当該商品が回転寿司の店舗内を周回した周回数とを対応付けた商品情報を保持し、商品に付与されうる価格ごとに、「電子ペーパー付ＩＣタグを備える容器」にて表示される模様である表示模様を対応付けた表示模様情報を保持し、商品が「電子ペーパー付ＩＣタグを備える容器」を用いて提供された後に、当該商品が店舗内を周回して検知位置を通過するごとに、「電子ペーパー付ＩＣタグを備える容器」から容器ＩＤを検知して、商品情報の周回数を更新し、商品情報における周回数が更新され、更新された周回数が閾値周回数となった場合に、当該商品情報に対応する商品価格を現価格から「更新価格」に更新し、現価格が更新された場合に、表示模様情報を参照して、「更新価格」に対応する表示模様を表示するよう「電子ペーパー付ＩＣタグを備える容器」に指示するので、顧客は、商品が提供される「電子ペーパー付ＩＣタグを備える容器」の模様を確認することで、更新されて値下げされた価格を判断して、例えば、他の顧客の視線を気にすることなく、当該商品を選択することができ、効率的な商品の提供を行うことが可能になる。また、模様を見ることで、直感的に値段のレベルを把握することができるという効をも奏する。
【実施例２】
【００５９】
上述した実施例１では、すべての商品名に同じ閾値周回数が設定されている場合について説明したが、実施例２では、商品名ごとに閾値周回数が設定されている場合について説明する。
【００６０】
［実施例２における商品情報管理装置の概要および特徴］
まず最初に、図１０を用いて、実施例２における商品情報管理装置の主たる特徴を具体的に説明する。図１０は、実施例２における商品情報管理装置の概要および特徴を説明するための図である。
【００６１】
実施例２における商品情報管理装置は、商品名ごとに閾値周回数を設定して保持する。例えば、図１０の（Ａ）に示すように、実施例２における商品情報管理装置は、「商品名：かっぱ巻き」の「閾値周回数」として設定された「６」を保持し、「商品名：マグロ」の「閾値周回数」として設定された「４」を保持し、「商品名：中トロ」の「閾値周回数」として設定された「３」を保持し、「商品名：大トロ」の「閾値周回数」として設定された「２」を保持する。
【００６２】
そして、実施例２における商品情報管理装置は、商品情報における周回数が更新され、更新された周回数が、当該商品情報に対応する商品名の閾値周回数となった場合に、当該商品情報に対応する現価格である商品価格を更新する。
【００６３】
例えば、図１０の（Ｃ）に示すように、「商品名：大トロ」を搭載した「電子ペーパー付ＩＣタグを備える容器」から「容器ＩＤ：００４」を検知して、商品情報の「容器ＩＤ：００４」に対応する「周回数」が「１」から、「商品名：大トロ」に対して設定された閾値周回数「２」となったので、「容器ＩＤ：００４」に対応する商品情報の現価格である商品価格「４００円」を、半額の「２００円」に値下げして更新する。なお、図１０の（Ｃ）に示すように、「商品名：中トロ」を搭載した「容器ＩＤ：００３」の「電子ペーパー付ＩＣタグを備える容器」は、最初に周回した際に顧客から選択されたために、商品情報の「周回数」は「０」のままである。
【００６４】
そして、実施例２における商品情報管理装置は、実施例１と同様に、現価格が更新された場合に、表示模様情報を参照して、更新された価格に対応する表示模様を表示するよう「電子ペーパー付ＩＣタグを備える容器」に指示する。例えば、図１０の（Ｄ）に示すように、実施例２における商品情報管理装置は、「商品名：大トロ」の商品価格が、「４００円」から「２００円」に更新されたので、表示模様情報を参照して、「商品価格：２００円」に対応する表示模様を表示するよう「電子ペーパー付ＩＣタグを備える容器」に指示し、「容器ＩＤ：００４」の容器に備えられる「ＩＣタグ」は、「商品価格：２００円」に対応する表示模様を受信して、当該表示模様を「電子ペーパー」に変更して表示させる。
【００６５】
このようなことから、実施例２における商品情報管理装置を設置することにより、回転寿司店側は、商品ごとに異なる鮮度の低下傾向に応じた閾値周回数を設定した上で、商品の価格を更新して値下げすることができ、効率的な商品の提供を行うことが可能になる。
【００６６】
［実施例２における商品情報管理装置の構成］
次に、図２、図１１および図１２を用いて、実施例２における商品情報管理装置を説明する。図２は、実施例１における商品情報管理装置の構成を示すブロック図であり、図１１は、実施例２における商品情報記憶部を説明するための図であり、図１２は、実施例２における閾値周回数記憶部を説明するための図である。
【００６７】
実施例２における商品情報管理装置１０は、図２に示す実施例１における商品情報管理装置１０と基本的に同様であるが、閾値周回数記憶部１５ｃが記憶する内容と、価格更新部１６ｂが行う処理の内容とが異なる。以下、これらを中心に説明する。なお、実施例２における閾値周回数記憶部１５ｃは、特許請求の範囲に記載の「商品別閾値周回数保持手順」に対応する。
【００６８】
閾値周回数記憶部１５ｃは、商品名ごとに設定された閾値周回数を記憶する。例えば、図１２に示すように、閾値周回数記憶部１５ｃは、「商品名：かっぱ巻き」の「閾値周回数」として設定された「６」を記憶し、「商品名：マグロ」の「閾値周回数」として設定された「４」を記憶し、「商品名：中トロ」の「閾値周回数」として設定された「３」を記憶し、「商品名：大トロ」の「閾値周回数」として設定された「２」を記憶する。
【００６９】
価格更新部１６ｂは、周回数更新部１６ａによって商品情報記憶部１５ａが記憶する商品情報における周回数が更新され、更新された周回数が、閾値周回数記憶部１５ｃが記憶する当該商品情報に対応する商品名の閾値周回数となった場合に、更新価格記憶部１５ｄを参照して、当該商品情報に対応する現価格である商品価格を「更新価格」に更新し、当該「更新価格」を商品情報記憶部１５ａが記憶する商品情報の商品価格として更新して格納する。
【００７０】
例えば、周回数更新部１６ａが、「商品名：大トロ」を搭載した「電子ペーパー付ＩＣタグを備える容器」から「容器ＩＤ：００４」を検知し（図１０の（Ｂ）参照）、「容器ＩＤ：００４」の商品情報における「周回数」を、図１１の（Ａ）に示す「１」から、図１１の（Ｂ）に示す「２」に更新した場合、価格更新部１６ｂは、更新された「周回数：２」が、図１２に示す「商品名：大トロ」の「閾値周回数：２」と一致しているので、図６に示す更新価格記憶部１５ｄを参照して、「容器ＩＤ：００４」に対応する商品情報の現価格である商品価格「４００円」を、「更新価格：２００円」に値下げして更新する。
【００７１】
そして、価格更新部１６ｂは、図１１の（Ｃ）に示すように、「更新価格：２００円」を商品価格として商品情報記憶部１５ａに格納する。
【００７２】
表示指示部１６ｃは、現価格が更新された場合に、表示模様情報記憶部１５ｂが記憶する表示模様情報を参照して、「更新価格」に対応する表示模様を表示するよう「電子ペーパー付ＩＣタグを備える容器」に指示する。例えば、表示指示部１６ｃは、図１０の（Ｃ）に示すように、「商品名：大トロ」の商品価格が、「４００円」から「２００円」に更新されたので、図４に示す表示模様情報を参照して、「商品価格：２００円」に対応する表示模様に対応する画像データを送信して、当該画像データに基づいた表示模様を表示するよう「電子ペーパー付ＩＣタグを備える容器」に指示する。これにより、図１０の（Ｄ）に示すように、「容器ＩＤ：００４」の容器に備えられる「ＩＣタグ」は、「商品価格：２００円」に対応する表示模様の画像データを受信して、当該表示模様を「電子ペーパー」に変更して表示させる。
【００７３】
［実施例２における商品情報管理装置による処理の手順］
次に、図１３を用いて、実施例２における商品情報管理装置１０による処理を説明する。図１３は、実施例２における商品情報管理装置の価格更新処理を説明するための図である。
【００７４】
なお、実施例２における商品情報管理装置の周回数更新処理の手順は、図７を用いて説明した実施例１における商品情報管理装置の周回数更新処理の手順と同じであり、実施例２における商品情報管理装置の表示指示処理の手順は、図９を用いて説明した実施例１における商品情報管理装置の表示指示処理の手順と同じであるので、説明を省略する。
【００７５】
［実施例２における商品情報管理装置の価格更新処理の手順］
まず、実施例２における商品情報管理装置１０は、商品情報における周回数が更新され、更新された周回数が、当該商品情報に対応する商品名の閾値周回数となると（ステップＳ１３０１肯定）、価格更新部１６ｂは、当該商品情報に対応する現価格を更新して（ステップＳ１３０２）、処理を終了する。
【００７６】
例えば、価格更新部１６ｂは、周回数更新部１６ａが、「商品名：大トロ」を搭載した「電子ペーパー付ＩＣタグを備える容器」から「容器ＩＤ：００４」を検知して（図１０の（Ｂ）参照）、「容器ＩＤ：００４」の商品情報における「周回数」を、図１１の（Ａ）に示す「１」から、図１１の（Ｂ）に示す「２」に更新した場合、更新された「周回数：２」が、図１２に示す「商品名：大トロ」の「閾値周回数：２」と一致しているので、図６に示す更新価格記憶部１５ｄを参照して、「容器ＩＤ：００４」に対応する商品情報の現価格である商品価格「４００円」を、「更新価格：２００円」に値下げして更新する。
【００７７】
［実施例２の効果］
上記したように、実施例２によれば、商品名ごとに閾値周回数を設定して保持し、商品情報における周回数が更新され、更新された周回数が、当該商品情報に対応する商品名の閾値周回数となった場合に、当該商品情報に対応する現価格である商品価格を更新するので、回転寿司などの店舗側は、商品ごとに異なる鮮度の低下傾向に応じた閾値周回数を設定した上で、商品の価格を更新して値下げすることができ、効率的な商品の提供を行うことが可能になる。
【実施例３】
【００７８】
さて、これまで実施例１および２における商品情報管理装置について説明したが、本発明は上述した実施例以外にも、種々の異なる形態にて実施されてもよいものである。そこで、以下では、実施例３における商品情報管理装置として、種々の異なる実施例を（１）〜（４）に区分けして説明する。
【００７９】
（１）表示模様のデータ
上記の実施例１および２では、商品価格ごとの表示模様のデータを商品情報管理装置が保持する場合を説明したが、本発明はこれに限定されるものではなく、商品価格ごとの表示模様のデータを容器が保持する場合であってもよい。例えば、商品価格ごとの表示模様のデータを容器に備えられるＩＣタグが表示模様のデータ（画像データ）をファイル名に対応付けて保持し、ＩＣタグは、商品情報管理装置から指示された画像データのファイル名に従って、電子ペーパーに表示させる場合であってもよい。
【００８０】
（２）電子ペーパー
上記の実施例１および２では、矩形の電子ペーパーを容器の一部に貼り付けた場合を説明したが、本発明はこれに限定されるものではなく、任意の形状に加工した電子ペーパーを容器に貼り付けた場合であっても、電子ペーパーを容器全体に貼り付けた場合であってもよい。
【００８１】
また、上記の実施例１および２では、電子ペーパーの画面にて表示模様を表示させる場合について説明したが、本発明はこれに限定されるものではなく、データを受信して画像を表示させることが可能であれば、例えば、液晶の画面やＬＥＤの画面に表示模様を表示させる場合であってもよい。
【００８２】
（３）システム構成等
また、上記の実施例において説明した各処理のうち、自動的におこなわれるものとして説明した処理の全部または一部を手動でおこなうこともでき（例えば、表示模様の表示指示を自動的に生成するのではなく、店員が、現価格の更新を確認して、表示模様の表示指示をするなど）、あるいは、手動的におこなうものとして説明した処理の全部または一部を公知の方法で自動的におこなうこともできる。例えば、この他、上記文章中や図面中で示した処理手順、具体的名称、各種のデータやパラメータを含む情報（例えば、閾値周回数や更新価格など）については、特記する場合を除いて任意に更新することができる。
【００８３】
また、図示した各装置の各構成要素は機能概念的なものであり、必ずしも物理的に図示の如く構成されていることを要しない。すなわち、各処理部および各記憶部の分散・統合の具体的形態（例えば、図２の形態など）は図示のものに限られず、例えば、価格更新部１６ｂと表示指示部１６ｃとを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８４】
（４）商品情報管理プログラム
ところで上記の実施例１および２では、ハードウェアロジックによって各種の処理を実現する場合を説明したが、本発明はこれに限定されるものではなく、あらかじめ用意されたプログラムをコンピュータで実行するようにしてもよい。そこで以下では、図１４を用いて、上記の実施例１に示した商品情報管理装置１０と同様の機能を有する商品情報管理プログラムを実行するコンピュータの一例を説明する。図１４は、実施例１の商品情報管理プログラムを実行するコンピュータを示す図である。
【００８５】
図１４に示すように、情報処理装置としてのコンピュータ１４０は、キーボード１４１、ディスプレイ１４２、ＣＰＵ１４３、ＲＯＭ１４４、ＨＤＤ１４５、ＲＡＭ１４６および通信制御部１３をバス１４７などで接続して構成される。
【００８６】
ＲＯＭ１４４には、上記の実施例１に示した商品情報管理装置１０と同様の機能を発揮する商品情報管理プログラム、つまり、図１４に示すように、周回数更新プログラム１４４ａ、価格更新プログラム１４４ｂ、表示指示プログラム１４４ｃが予め記憶されている。なお、これらのプログラム１４４ａ〜１４４ｃについては、図２に示した商品情報管理装置１０の各構成要素と同様、適宜統合または分散してもよい。
【００８７】
そして、ＣＰＵ１４３が、これらのプログラム１４４ａ〜１４４ｃをＲＯＭ１４４から読みだして実行することで、図１４に示すように、各プログラム１４４ａ〜１４４ｃは、周回数更新プロセス１４３ａ、価格更新プロセス１４３ｂ、表示指示プロセス１４３ｃとして機能するようになる。なお、各プロセス１４３ａ〜１４３ｃは、図２に示した、周回数更新部１６ａ、価格更新部１６ｂ、表示指示部１６ｃにそれぞれ対応する。
【００８８】
また、ＨＤＤ１４５には、図１４に示すように、商品情報データ１４５ａと、表示模様情報データ１４５ｂと、閾値周回数データ１４５ｃと、更新価格データ１４５ｄとが設けられる。この商品情報データ１４５ａは、図２に用いた商品情報記憶部１５ａに対応し、表示模様情報データ１４５ｂは表示模様情報記憶部１５ｂに対応し、閾値周回数データ１４５ｃは閾値周回数記憶部１５ｃに対応し、更新価格データ１４５ｄは、更新価格記憶部１５ｄに対応する。そしてＣＰＵ１４３は、商品情報データ１４６ａを商品情報データ１４５ａに対して登録し、表示模様情報データ１４６ｂを表示模様情報データ１４５ｂに対して登録し、閾値周回数データ１４６ｃを閾値周回数データ１４５ｃに対して登録し、更新価格データ１４６ｄを更新価格データ１４５ｄに対して登録し、この商品情報データ１４６ａと、表示模様情報データ１４６ｂと、閾値周回数データ１４６ｃと、更新価格データ１４６ｄとを読み出してＲＡＭ１４６に格納し、ＲＡＭ１４６に格納された商品情報データ１４６ａと、表示模様情報データ１４６ｂと、閾値周回数データ１４６ｃと、更新価格データ１４６ｄとに基づいて商品情報管理処理を実行する。
【００８９】
なお、上記した各プログラム１４４ａ〜１４４ｃについては、必ずしも最初からＲＯＭ１４４に記憶させておく必要はなく、例えばコンピュータ１４０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ１４０の内外に備えられるＨＤＤなどの「固定用物理媒体」、さらには、公衆回線、インターネット、ＬＡＮ、ＷＡＮなどを介してコンピュータ１４０に接続される「他のコンピュータ（またはサーバ）」などに各プログラムを記憶させておき、コンピュータ１４０がこれらから各プログラムを読み出して実行するようにしてもよい。
【００９０】
（付記１）店舗内を周回して提供される商品の情報を管理する商品情報管理方法をコンピュータに実行させる商品情報管理プログラムであって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手順と、
前記商品に付与されうる価格ごとに、前記容器にて表示される模様である表示模様を対応付けた表示模様情報を保持する表示模様情報保持手順と、
前記商品が前記容器を用いて提供された後に、当該商品が店舗内を周回して所定の位置を通過するごとに、前記容器から前記容器識別情報を検知し、前記商品情報保持手順が保持する前記周回数を更新する周回数更新手順と、
前記周回数更新手順によって前記商品情報における前記周回数が更新され、更新された周回数が所定の周回数として設定した閾値周回数となった場合に、当該商品情報に対応する前記現価格を更新する価格更新手順と、
前記価格更新手順によって前記現価格が更新された場合に、前記表示模様情報保持手順が保持する前記表示模様情報を参照して、更新された価格に対応する前記表示模様を表示するよう前記容器に指示する表示指示手順と、
をコンピュータに実行させることを特徴とする商品情報管理プログラム。
【００９１】
（付記２）前記商品情報は、現に前記容器に搭載されている商品の商品識別情報を含み、
前記商品識別情報ごとに前記閾値周回数を設定して保持する商品別閾値周回数保持手順をさらにコンピュータに実行させ、
前記価格更新手順は、前記商品情報における前記周回数が更新され、更新された周回数が、前記商品別閾値周回数保持手順が保持する当該商品情報に対応する商品識別情報の前記閾値周回数となった場合に、当該商品情報に対応する前記現価格を更新することを特徴とする付記１に記載の商品情報管理プログラム。
【００９２】
（付記３）店舗内を周回して提供される商品の情報を管理する商品情報管理装置であって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持手段と、
前記商品に付与されうる価格ごとに、前記容器にて表示される模様である表示模様を対応付けた表示模様情報を保持する表示模様情報保持手段と、
前記商品が前記容器を用いて提供された後に、当該商品が店舗内を周回して所定の位置を通過するごとに、前記容器から前記容器識別情報を検知し、前記商品情報保持手段が保持する前記周回数を更新する周回数更新手段と、
前記周回数更新手段によって前記商品情報における前記周回数が更新され、更新された周回数が所定の周回数として設定した閾値周回数となった場合に、当該商品情報に対応する前記現価格を更新する価格更新手段と、
前記価格更新手段によって前記現価格が更新された場合に、前記表示模様情報保持手段が保持する前記表示模様情報を参照して、更新された価格に対応する前記表示模様を表示するよう前記容器に指示する表示指示手段と、
を備えたことを特徴とする商品情報管理装置。
【００９３】
（付記４）店舗内を周回して提供される商品の情報を管理する商品情報管理方法であって、
前記商品を提供する際に用いられ、表示する模様が可変な容器ごとに、各容器を一意に識別するための情報である容器識別情報と、現に当該商品に付与されている現価格と、現に当該商品が前記店舗内を周回した周回数とを対応付けた商品情報を保持する商品情報保持工程と、
前記商品に付与されうる価格ごとに、前記容器にて表示される模様である表示模様を対応付けた表示模様情報を保持する表示模様情報保持工程と、
前記商品が前記容器を用いて提供された後に、当該商品が店舗内を周回して所定の位置を通過するごとに、前記容器から前記容器識別情報を検知し、前記商品情報保持工程が保持する前記周回数を更新する周回数更新工程と、
前記周回数更新工程によって前記商品情報における前記周回数が更新され、更新された周回数が所定の周回数として設定した閾値周回数となった場合に、当該商品情報に対応する前記現価格を更新する価格更新工程と、
前記価格更新工程によって前記現価格が更新された場合に、前記表示模様情報保持工程が保持する前記表示模様情報を参照して、更新された価格に対応する前記表示模様を表示するよう前記容器に指示する表示指示工程と、
を含んだことを特徴とする商品情報管理方法。
【産業上の利用可能性】
【００９４】
以上のように、本発明に係る商品情報管理プログラム、商品情報管理装置および商品情報管理方法は、店舗内を周回して提供される商品の情報を管理する場合に有用であり、特に、効率的な商品の提供を行うことが可能になることに適する。
【図面の簡単な説明】
【００９５】
【図１】実施例１における商品情報管理装置の概要および特徴を説明するための図である。
【図２】実施例１における商品情報管理装置の構成を示すブロック図である。
【図３】実施例１における商品情報記憶部を説明するための図である。
【図４】表示模様情報記憶部を説明するための図である。
【図５】実施例１における閾値周回数記憶部を説明するための図である。
【図６】更新価格記憶部を説明するための図である。
【図７】実施例１における商品情報管理装置の周回数更新処理を説明するための図である。
【図８】実施例１における商品情報管理装置の価格更新処理を説明するための図である。
【図９】実施例１における商品情報管理装置の表示指示処理を説明するための図である。
【図１０】実施例２における商品情報管理装置の概要および特徴を説明するための図である。
【図１１】実施例２における商品情報記憶部を説明するための図である。
【図１２】実施例２における閾値周回数記憶部を説明するための図である。
【図１３】実施例２における商品情報管理装置の価格更新処理を説明するための図である。
【図１４】実施例１の商品情報管理プログラムを実行するコンピュータを示す図である。
【符号の説明】
【００９６】
１０  商品情報管理装置
１１  入力部
１２  出力部
１３  通信制御部
１４  入出力制御Ｉ／Ｆ部
１５  記憶部
１５ａ  商品情報記憶部
１５ｂ  表示模様情報記憶部
１５ｃ  閾値周回数記憶部
１５ｄ  更新価格記憶部
１６  処理部
１６ａ  周回数更新部
１６ｂ  価格更新部
１６ｃ  表示指示部
【図１】
2008198024.tif 000003
【図２】
2008198024.tif 000004
【図３】
2008198024.tif 000005
【図４】
2008198024.tif 000006
【図５】
2008198024.tif 000007
【図６】
2008198024.tif 000008
【図７】
2008198024.tif 000009
【図８】
2008198024.tif 000010
【図９】
2008198024.tif 000011
【図１０】
2008198024.tif 000012
【図１１】
2008198024.tif 000013
【図１２】
2008198024.tif 000014
【図１３】
2008198024.tif 000015
【図１４】
2008198024.tif 000016